(57)【要約】【課題】多様な用途に適用できる新規な構成の複合ディスプレイユニットを提供する。【解決手段】６５はシート状もしくは板状の電子ディスプレイ手段或いは該電子ディスプレイ手段より厚さを薄くして軽量とした非電子ディスプレイ手段で、それらディスプレイ手段は積層されて外カバー６０内に保持手段６２によって開閉見開き可能に収容されている。６５は更に電子ディスプレイ手段に電力を供給する電力供給手段をも含んでおり、これらが前記保持手段から着脱可能となっており、表示する情報に応じてこれらのディスプレイ手段を適宜選ぶことにより、表示したい情報に対して過不足なく最適な表示を行うことができる。【選択図】図９
2006208918.tif 000002
【特許請求の範囲】
【請求項１】
シート状もしくは板状の電子ディスプレイ手段と該電子ディスプレイ手段より薄くして軽量とした非電子ディスプレイ手段と、これらディスプレイ手段を積層するとともに開閉見開き可能とする保持手段と、前記電子ディスプレイ手段に電力を供給する電力供給手段とよりなる複合ディスプレイユニットにおいて、前記ディスプレイ手段を前記保持手段から着脱可能としたことを特徴とする複合ディスプレイユニット。
【請求項２】
前記ディスプレイ手段は、可撓性を有することを特徴とする請求項１に記載の複合ディスプレイユニット。
【請求項３】
前記非電子ディスプレイ手段は、密度を０.５０ｇ／ｃｍ３以上とした紙であることを特徴とする請求項１もしくは２に記載の複合ディスプレイユニット。
【請求項４】
前記複合ディスプレイユニットの外側に、該複合ディスプレイユニットを挟み込むように配され、各ディスプレイ手段と同様に開閉見開き可能としたシート状もしくは板状であって、前記非電子ディスプレイ手段より厚いカバー部材を前記保持手段と一体的に構成することを特徴とする請求項１乃至３のいずれか１に記載の複合ディスプレイユニット。
【請求項５】
前記電力供給手段は、前記電子ディスプレイ手段に搭載したことを特徴とする請求項１、２、又は４のいずれか１に記載の複合ディスプレイユニット。
【請求項６】
前記電力供給手段は、前記保持手段と一体的に構成したカバー部材に搭載したことを特徴とする請求項４に記載の複合ディスプレイユニット。
【請求項７】
前記カバー部材をシート状ポリマーバッテリーで構成したことを特徴とする請求項６に記載の複合ディスプレイユニット。
【請求項８】
前記複合ディスプレイユニットに着脱可能とした情報入力手段を設けたことを特徴とする請求項１乃至７のいずれか１に記載の複合ディスプレイユニット。
【請求項９】
前記情報入力手段は、前記カバー部材で挟まれた内側に設けられ、必要に応じて該カバー部材の外側に出すことができることを特徴とする請求項８に記載の複合ディスプレイユニット。
【請求項１０】
前記情報入力手段は、キーボード手段であることを特徴とする請求項８もしくは９に記載の複合ディスプレイユニット。
【請求項１１】
前記情報入力手段は、ペン入力手段であることを特徴とする請求項８もしくは９に記載の複合ディスプレイユニット。
【請求項１２】
前記情報入力手段は、スキャナー手段であることを特徴とする請求項８もしくは９に記載の複合ディスプレイユニット。
【請求項１３】
前記情報入力手段は、イメージキャプチャー手段であることを特徴とする請求項８もしくは９に記載の複合ディスプレイユニット。
【発明の詳細な説明】
【技術分野】
【０００１】
本発明は、複合ディスプレイユニット、より詳細には、情報等の入出力手段を複数個一体化した表示ユニットに関する。
【背景技術】
【０００２】
情報社会の発達とともに従来新聞や書籍で配信されていた各種の情報が電子情報となり、コンピュータあるいはＰＤＡ等の各種端末に配信され、それらの情報をディスプレイによって見る時代になってきて久しい。それに応じて、各種ディスプレイの研究開発が盛んになってきている。
【０００３】
これらのディスプレイには、大きく分けて自ら発光する自発光型ディスプレイと室内灯や太陽光などの外光によって視認できる反射型ディスプレイがある。
【０００４】
前者の代表例はＣＲＴディスプレイであるが、近年はバックライトを備えた液晶ディスプレイやプラズマディスプレイ、さらには、電子放出型ディスプレイ（例えば、特許文献１参照）のような薄型のものに取って代わられようとしている。
【０００５】
さらに、最近は、薄型軽量化、量産時の低コスト化が期待でき、液晶ディスプレイの欠点であるコントラストの低さや、視野角の狭さ等を容易に解決できる技術として、有機エレクトロ・ルミネッセンス（ＥＬ）素子を利用したいわゆる有機ＥＬディスプレイが注目を集め、その材料研究が盛んである（例えば、特許文献２参照）。
【０００６】
一方で、視野角の狭さ等の技術課題があるものの、自発光型ディスプレイほどエネルギー消費をしない反射型液晶ディスプレイも携帯端末用ディスプレイとして捨てがたい魅力があり、明るさ向上等を目的として引き続きその改良研究が行われている（例えば、特許文献３参照）。
【０００７】
他に、いわゆるマイクロカプセル粒子の電気泳動を利用した反射型ディスプレイの研究も盛んになってきている（例えば、特許文献４参照）。
【０００８】
これら以外にも、分散粒子配向型ディスプレイ、着色粒子回転型ディスプレイ、ＰＬＺＴディスプレイ、ＤＭＤ（デジタル・マイクロミラーデバイス）ディスプレイ、電子粉流体ディスプレイ、ＳＥＤ（サーフィス・コンダクション・エミッター・ディスプレイ）等各種のディスプレイ技術が研究されている。
【０００９】
これは、ある一つの技術で、高精細、カラー化、動画表示、低エネルギー駆動、薄型、軽量化、可撓性、ロバストネス、ペーパーライクな取り扱い性、低コスト等全ての要求を満たす技術が存在しないからであり、今後、それぞれの要求に応じて、それに最適な技術で実用化されていくものと考えられる。
【００１０】
一方で、このような電子情報表示技術とは別に、従来より使用されている紙による表示は、電子表示ディスプレイのようなコンピュータ等の情報のディスプレイ手段としての多様性はないもののその扱いやすさは捨てがたいものがある。
【特許文献１】特開２０００−３０６０５号公報
【特許文献２】特開２００３−１４２２６９号公報
【特許文献３】特開平５−６１０２７号公報
【特許文献４】特表２００２−５２０６５５号公報
【発明の開示】
【発明が解決しようとする課題】
【００１１】
本発明は、上述のごとき実情に鑑みてなされたもので、
第１の目的は、多様な用途に適用できる新規な構成の複合ディスプレイユニットを提供することにある。
【００１２】
第２の目的は、このような新規な構成の複合ディスプレイユニットのディスプレイ手段がより使いやすくなるような構成を提供することにある。
【００１３】
第３の目的は、このような新規な構成の複合ディスプレイユニットの非電子ディスプレイ手段がより使いやすくなるような構成を提供することにある。
【００１４】
第４の目的は、このような新規な構成の複合ディスプレイユニットを破損しないようにする構成を提供することにある。
【００１５】
第５の目的は、このような新規な構成の複合ディスプレイユニットに使用される電子ディスプレイ手段への電力供給の構成を提供することにある。
【００１６】
第６の目的は、このような新規な構成の複合ディスプレイユニットに使用される電子ディスプレイ手段への電力供給の他の構成を提供することにある。
【００１７】
第７の目的は、このような新規な構成の複合ディスプレイユニットに使用される電子ディスプレイ手段への電力供給手段の具体的な構成を提供することにある。
【００１８】
第８の目的は、このような新規な構成の複合ディスプレイユニットをより効果的に使用するための構成を提供することにある。
【００１９】
第９の目的は、このような新規な構成の複合ディスプレイユニットをより効果的に使用するための構成の他の例を提供することにある。
【００２０】
第１０の目的は、このような新規な構成の複合ディスプレイユニットをより効果的に使用するための構成のさらに他の例を提供することにある。
【００２１】
第１１の目的は、このような新規な構成の複合ディスプレイユニットをより効果的に使用するための構成のさらに他の例を提供することにある。
【００２２】
第１２の目的は、このような新規な構成の複合ディスプレイユニットをより効果的に使用するための構成のさらに他の例を提供することにある。
【００２３】
第１３の目的は、このような新規な構成の複合ディスプレイユニットをより効果的に使用するための構成のさらに他の例を提供することにある。
【課題を解決するための手段】
【００２４】
本発明は、前記目的を達成するために、
第１の発明は、シート状もしくは板状の電子ディスプレイ手段と該電子ディスプレイ手段より厚さを薄くし軽量とした非電子ディスプレイ手段と、それらを積層するとともに開閉見開き可能とする保持手段と、前記電子ディスプレイ手段に電力を供給する電力供給手段とよりなる複合ディスプレイユニットにおいて、前記ディスプレイ手段を前記保持手段から着脱可能とした。
【００２５】
第２の発明は、第１の発明において、前記ディスプレイ手段は、可撓性を有するようにした。
【００２６】
第３の発明は、第１もしくは第２の発明において、前記非電子ディスプレイ手段は、密度を０．５０ｇ／ｃｍ３以上とした紙であるようにした。
【００２７】
第４の発明は、第１乃至第３のいずれか１の発明において、前記複合ディスプレイユニットの外側に、該複合ディスプレイユニットを挟み込むように配され、各ディスプレイ手段と同様に開閉見開き可能としたシート状もしくは板状であって、前記非電子ディスプレイ手段より厚いカバー部材を前記保持手段と一体的に構成するようにした。
【００２８】
第５の発明は、第１、第２、第４のいずれか１の発明において、前記電力供給手段は、前記電子ディスプレイ手段に搭載するようにした。
【００２９】
第６の発明は、第４の発明において、前記電力供給手段は、前記保持手段と一体的に構成したカバー部材に搭載するようにした。
【００３０】
第７の発明は、第６の発明において、前記カバー部材をシート状ポリマーバッテリーで構成するようにした。
【００３１】
第８の発明は、第１乃至第７のいずれか１の発明において、前記複合ディスプレイユニットに着脱可能とした情報入力手段を設けるようにした。
【００３２】
第９の発明は、第８の発明において、前記情報入力手段は、前記カバー部材で挟まれた内側に設けられ、必要に応じて該カバー部材の外側に出すことができるようにした。
【００３３】
第１０の発明は、第８もしくは第９の発明において、前記情報入力手段は、キーボード手段であるようにした。
【００３４】
第１１の発明は、第８もしくは第９の発明において、前記情報入力手段は、ペン入力手段であるようにした。
【００３５】
第１２の発明は、第８もしくは第９の発明において、前記情報入力手段は、スキャナー手段であるようにした。
【００３６】
第１３の発明は、第８もしくは第９の発明において、前記情報入力手段は、イメージキャプチャー手段であるようにした。
【発明の効果】
【００３７】
第１の発明に対応した効果
シート状もしくは板状の電子ディスプレイ手段と該電子ディスプレイ手段より厚さを薄くして軽量とした非電子ディスプレイ手段と、それらディスプレイ手段を積層するとともに開閉見開き可能とする保持手段と、前記電子ディスプレイ手段に電力を供給する電力供給手段とよりなる複合ディスプレイユニットにおいて、前記ディスプレイ手段を前記保持手段から着脱可能としたので、表示する情報に応じてこれらのディスプレイ手段を適宜選ぶことにより、表示したい情報に対して過不足なく最適な表示を行うことができるようになった。
【００３８】
また、各ディスプレイ手段を組み合わせた複合ディスプレイユニットであるので、非電子ディスプレイ手段のように薄くて軽量なものはページめくり等の扱いがしやすく、大変使いやすい。
さらに、各ディスプレイ手段は着脱可能としたので、全てのディスプレイ手段を組み合わせたり、あるいは必要最小限のディスプレイ手段のみを組み合わせて使用することもできる。つまり、用途に応じて自由自在の組み合わせが可能となり、使い勝手が優れたディスプレイ手段を実現できた。
【００３９】
第２の発明に対応した効果
第１の発明において、前記ディスプレイ手段は、可撓性を有するようにしたので、使用時に手になじみやすく、ページめくり作業もしやすい、大変扱いやすいディスプレイ手段を実現できた。
【００４０】
第３の発明に対応した効果
第１もしくは第２の発明において、前記非電子ディスプレイ手段は、密度を０．５０ｇ／ｃｍ３以上とした紙であるようにしたので、一定のこしの強さを確保でき、複数枚束ねた場合に、ページめくり作業を行っても互いにまとわり付くことなく、良好に扱うことができるようになった。
また、一定の厚さも確保できるので、ボールペンや万年筆等で筆記を行っても、裏面にインクが滲んだり、筆記圧により裏面に文字等が浮き上がったり、下の紙に筆記圧力で文字等が転写したりするということがなくなった。
【００４１】
第４の発明に対応した効果
第１乃至第３のいずれか１の発明において、前記複合ディスプレイユニットの外側に、該複合ディスプレイユニットを挟み込むように配され、各ディスプレイ手段と同様に開閉見開き可能としたシート状もしくは板状であって、前記非電子ディスプレイ手段より厚いカバー部材を前記保持手段と一体的に構成するようにしたので、高度技術によって実現される電子ディスプレイ手段を破損するといった事故を回避できるようになった。
また、このようなカバー部材を有するので、各ディスプレイ手段を汚すというようなこともなく、携帯性にも優れたものとなった。
さらに、このカバー部材は、非電子ディスプレイ手段より厚くしてあるので、こしの弱い非電子ディスプレイ手段を保持／支持でき、使用勝手が大変よくなった。
【００４２】
第５の発明に対応した効果
第１もしくは第２もしくは第４の発明において、前記電力供給手段は、前記電子ディスプレイ手段に搭載するようにしたので、電子ディスプレイ手段を複合ディスプレイユニットからはずして単独で使用することもでき、使用用途を広げることができるようになった。
【００４３】
第６の発明に対応した効果
第４の発明において、前記電力供給手段は、前記保持手段と一体的に構成したカバー部材に搭載するようにしたので、電力供給手段を搭載する際の制約条件の自由度が増え、いろいろな種類あるいは形状、大きさ、重さのバッテリー等を使用することができるようになった。
また、複数個の電子ディスプレイ手段のそれぞれに１箇所から電力を供給でき、各電子ディスプレイ手段で個別に電力供給手段を持たせるという煩雑さが解消できた。
【００４４】
第７の発明に対応した効果
第６の発明において、前記カバー部材をシート状ポリマーバッテリーで構成するようにしたので、複合ディスプレイユニットの保護のみならず、電子ディスプレイ手段への電力供給も行うことができた。
【００４５】
第８の発明に対応した効果
第１乃至第７のいずれか１の発明において、前記複合ディスプレイユニットに着脱可能とした情報入力手段を設けるようにしたので、表示のみならず情報入力も行えるようになり、複合ディスプレイユニットをより効果的に使用することができるようになった。
また、情報入力手段は、不使用時ははずすこともできるので、複合ディスプレイユニットを軽量な状態で使用することもできる。
【００４６】
第９の発明に対応した効果
第８の発明において、前記情報入力手段は、前記カバー部材で挟まれた内側に設けられ、必要に応じて該カバー部材の外側に出すことができるようにしたので、表示のみならず情報入力もおこなえる複合ディスプレイユニットをより効果的に使用することができるとともに、情報入力手段をカバー部材によって外部からの衝撃等から保護することができ、破損しないようにすることができた。
また、情報入力手段は、不使用時ははずすこともできるので、複合ディスプレイユニットを軽量な状態で使用することもできる。
【００４７】
第１０の発明に対応した効果
第８もしくは第９の発明において、前記情報入力手段は、キーボード手段であるようにしたので、第８もしくは第９の発明の効果に加え、情報入力が簡単に行えるようになった。
【００４８】
第１１の発明に対応した効果
第８もしくは第９の発明において、前記情報入力手段は、ペン入力手段であるようにしたので、第８もしくは第９の発明の効果に加え、キーボード入力が不得手であっても、情報入力が簡単に行えるようになった。
【００４９】
第１２の発明に対応した効果
第８もしくは第９の発明において、前記情報入力手段は、スキャナー手段であるようにしたので、第８もしくは第９の発明の効果に加え、２次元イメージ情報の入力も簡単に行えるようになった。
【００５０】
第１３の発明に対応した効果
第８もしくは第９の発明において、前記情報入力手段は、イメージキャプチャー手段であるようにしたので、第８もしくは第９の発明の効果に加え、３次元世界のイメージ情報の入力も簡単に行えるようになった。
【発明を実施するための最良の形態】
【００５１】
以下に、本発明に係る各種ディスプレイ手段（表示手段）の実施の形態について説明する。本発明は、各種ディスプレイ手段あるいは書き込み機能を含めた手段を適宜組み合わせて多様な用途に対応できるものである。これらの手段は、電気的な制御によって表示を行う電子ディスプレイ手段や、そのような電気的な制御を利用しないあるいは熱や光などの他の制御手段によって表示を行う非電子ディスプレイ手段を組み合わせてなる。以下に示す実施の形態は例示であり、本発明はこれらに限定されるものではない。
【００５２】
図１は、本発明の複合ディスプレイユニットに好適に適用される電子ディスプレイ手段の一例である有機ＥＬ素子の断面図であり、基板１上に、順次、第１電極２、電荷輸送性着色層３、発光層４および第２電極５が積層された構造になっている。この有機ＥＬ素子では、発光層４から放射された光は電荷輸送性着色層３、透明な第１電極２、透明な基板１を通して取り出される。この電荷輸送性着色層３がカラーフィルターとして機能し、発光スペクトル分布が修正され着色された光が取り出される。
【００５３】
本発明に適用される有機ＥＬ素子では、さらに、電荷輸送性着色層に正孔輸送あるいは正孔注入などの機能を付加することで着色した正孔輸送層あるいは正孔注入層とし、また、発光層を白色発光層として、この白色発光層を着色した正孔輸送層、正孔注入層と組み合わせることで任意の発光色を取り出すようにできる。
【００５４】
図２は、本発明に適用されるフルカラー有機ＥＬディスプレイの断面図であり、基板１上に第１電極２が設けられ、第１電極２上に赤色電荷輸送性着色層６、緑色電荷輸送性着色層７および青色電荷輸送性着色層８が、これら３色の電荷輸送性着色層上に発光層４が、さらに発光層４上に第２電極５が積層された構造になっている。このような赤、緑、青色の３色の電荷輸送性着色層（正孔輸送層）を微細配置することで、発光層の微細な配置やカラーフィルターを必要とすることなく、赤、緑、青の発光ピクセルを微細配置でき、フルカラー有機ＥＬディスプレイを形成することができる。もちろん、この電荷輸送性着色層の微細配置を発光層の微細配置、カラーフィルターと組み合わせて用いることもできる。
【００５５】
本発明に適用される有機ＥＬ素子に設けられるＥＬ層とは、対向する第１電極と第２電極間に設けられる有機物層である。少なくとも、ＥＬ層の１層がエレクトロルミネッセンスを起こすものであれば限定されない。また、ＥＬ層は、第１電極上（第１電極と第２電極の間）に設けられるが、第１電極上に直接設けられたものであっても、必要に応じ、第１電極とＥＬ層との間に他の層を介在させたものであってもよい。
【００５６】
本発明のＥＬ層は、さらに、その構成要素として、必須の層として発光層、電荷輸送性着色層、任意の層として、発光層に正孔を輸送する正孔輸送層および電子を輸送する電子輸送層（これらは、まとめて、電荷輸送層とよぶことがある）、ならびに、発光層または正孔輸送層に正孔を注入する正孔注入層および発光層または電子輸送層に電子を注入する電子注入層（これらは、まとめて、電荷注入層とよぶことがある）を設けることができる。
【００５７】
これらＥＬ層を構成する材料としては、以下のものが挙げられる。まず、第１に電荷輸送性着色層であるが、本発明で用いる電荷輸送性着色層は、光透過率が特定の波長領域のみで大きくなる電荷輸送性を有する有機化合物層である。本発明で用いる電荷輸送性着色層は、それ自体電荷輸送性を有する染料、顔料で構成されるか、または、電荷輸送性を有さなくともよい染料、顔料を電荷輸送性材料に分散させて構成される。また、正孔注入、正孔輸送など他の機能を備えたものであってもよい。電荷輸送性着色層に用いることのできる染料、顔料としては、例えば、トリフェニルメタン色素、キサンチン色素、アゾ色素などの有機色素、金属フタロシアニン、金属錯体アゾなどの金属錯体、α−Ｆｅ２Ｏ３、ＣｏＯ・Ａｌ２Ｏ３などの無機顔料、ＣｄＳ、ＣｄＳＳｅなどの可視域にバンドギャップの値を持つ半導体などが挙げられる。染料、顔料を分散させる場合の電荷輸送性材料として、後述の正孔輸送材料などを用いることができる。このような材料を用いた場合、発光強度に悪影響はない。
【００５８】
電荷輸送性着色層の厚みは、好ましくは、選択透過波長領域以外での透過率を２０％以下にするため、２０〜２０００ｎｍ、より好ましくは、１００〜５００ｎｍと通常の正孔輸送層より厚いものとする。染料、顔料を電荷輸送性材料に分散させて用いる場合には、染料、顔料と電荷輸送性材料との間で塩を形成することや電荷移動錯体を形成することによる沈降や色変化を生じにくいことが重要である。
【００５９】
次に、発光層は、正孔と電子の再結合の場を提供して発光させる機能を有する層であり、電圧印加時に陽極または正孔輸送層から正孔を注入できるとともに陰極または電子注入層、電子輸送層から電子を注入することができる機能や、注入された電荷を移動させる機能を有することができる。発光層の材料として用いることのできる材料としては、例えば、オキサジアゾール誘導体、スチリルベンゼン誘導体、クマリン誘導体、ペリレン誘導体、キナクリドン誘導体、８−キノリノール誘導体の金属錯体や希土類錯体に代表される各種金属錯体、ポリチオフェン誘導体、ポリフェニレンビニレン誘導体、ポリフルオレン誘導体などの高分子化合物、および、これらの混合物などが挙げられる。
【００６０】
次に、正孔輸送層は、陽極から正孔を注入する機能、正孔を輸送する機能、陰極から注入された電子を障壁する機能の少なくともいずれかを有している層である。また、機能別に正孔注入層、正孔輸送層など複数層に分割してもよい。正孔輸送層を構成する材料としては、例えば、カルバゾール誘導体、トリアゾール誘導体、オキサゾール誘導体、オキサジアゾール誘導体などの正孔輸送性低分子、ポリビニルカルバゾール誘導体、ポリチオフェン誘導体などの正孔輸送性高分子、ポリメチルメタクリレートやポリスチレンのような電荷輸送性のない高分子をバインダーとして正孔輸送性低分子を分散したものなどが挙げられる。前出の電荷輸送性着色層材料を分散させることで着色した正孔輸送層として用いることができる。
【００６１】
本発明においては、先に設ける電極を第１電極、その後にＥＬ層上に設ける電極を第２電極として呼ぶ。これらの電極は特に限定されないが、好ましくは、電極は陽極と陰極からなり、この場合、第１電極は陽極、陰極のいずれであってもよい。好ましくは、陽極と陰極のどちらか一方が、透明または半透明である。
【００６２】
陽極は正孔を注入しやすいように４ｅＶより大きい仕事関数を持つものが好ましく、例えば、酸化錫、酸化亜鉛、酸化インジウム、酸化インジウム錫（ＩＴＯ）などの導電性金属酸化物、金、銀、クロム、ニッケルなどの金属、ヨウ化銅、硫化銅などの無機導電性物質、ポリアニリン、ポリピロールなどの有機導電性材料、これらの混合物または積層物などが挙げられ、特に高導電性、透明性などの点からＩＴＯが好ましい。
【００６３】
陰極は電子を注入しやすいように４ｅＶより小さい仕事関数を持つものが好ましく、例えば、アルカリ金属（例えばリチウム、ナトリウム、セシウムなど）およびそのフッ化物、アルカリ土類金属（カルシウム、マグネシウムなど）およびそのフッ化物、アルミニウム、銀などの金属およびこれらの合金または混合物などが挙げられる。
【００６４】
本発明においては、基板を設けることができる。この基板は、その上に電極やＥＬ層が設けられるものであり、所望により透明材料からなることができるが、不透明材料であってもよい。基板にはシート状あるいは板状のものが使用され、例えば、石英、ソーダガラスなどのガラス板、金属板や金属箔、アクリル系樹脂、スチレン系樹脂、ポリカーボネート系樹脂などのプラスチック基板／シートなどが用いられるが、ガラス、プラスチックのような透明なものが望ましい。特に、プラスチック基板／シートは軽量化ができ、壊れにくく、また、可撓性があるので、ディスプレイ手段の操作性が紙に近くなり、使用時に手になじみやすい（他のディスプレイ手段との切り替え時にページをめくるという感覚が紙に近くなる）ので好ましい。
【００６５】
本発明の有機ＥＬ素子の製造方法は、前記の有機ＥＬ素子が製造できる方法であれば限定されない。具体的には、例えば、基板上に第１電極を設ける工程と、前記第１電極上に赤色、緑色および青色の電荷輸送性着色層を形成する工程と、前記赤色、緑色および青色の電荷輸送性着色層上に白色発光層を形成する工程と、前記白色発光層上に第２電極を設ける工程とから少なくともなる有機ＥＬ素子の製造方法を用いることができる。
【００６６】
このような手順による製造方法とすることにより、従来、一般的な、基板上にカラーフィルター、第１電極、正孔輸送層、白色発光層、第２電極を順次設ける手順と比較して、製造工程を短縮することができる。なお、カラーフィルター、基板、第１電極の順での配置は、視差が大きくなるため実用的ではない。また、発光層と電荷輸送性着色層が隣接するので、従来のカラーフィルターと発光層との間に第１電極を挟む有機ＥＬ素子と比べてもさらに色純度が良好である。さらに、第１電極の形成が、耐熱温度が最高でも２５０℃程度のカラーフィルターなどの熱に弱い中間層を介在させることなく基板上に形成できるので、第１電極が高温で形成でき、そのため、第１電極の抵抗値が従来の１／４程度まで低下して、導電性が高まり、有機ＥＬ素子の発光効率が高まる利点がある。
【００６７】
また、本発明に用いることのできる正孔輸送層は厚膜化が可能なものであるので、正孔輸送層や電荷輸送性着色層の形成に印刷法を用いることができ、この点でも製造工程の簡略化やコストダウンが可能である。さらに、ＥＬ素子の発光層は、薄くしかも空気との接触を避ける必要がありパターニングが困難であるが、本発明は、発光層のパターニングを行わずパターニングしやすい電荷輸送性着色層について行うことが可能であるので、製造工程上有利である。
【００６８】
次に、図３ならびに図４を用いて、本発明の複合ディスプレイユニットに好適に適用される電子ディスプレイ手段の一例である液晶表示素子について説明する。ここでは、消費電力が少なくてすむ反射型液晶表示素子の実施形態の説明をするが、これによって本発明が限定されるものではない。
【００６９】
本実施に好適に適用される反射型液晶表示素子は、対向して配される一対の透光性基板と、該一対の透光性基板の対向面間に挟装される液晶材料とを有し、該液晶材料の有する電気光学効果を用いて表示を行う液晶表示素子であって、上記一対の透光性基板のいずれか一方の対向面側に、光反射層と、透光性の光散乱層とがこの順に積層されてなる構造を有している。
【００７０】
より具体的には、液晶表示素子（反射型液晶表示素子）３０は、図３に示すように、透光性基板１１の一方の面（対向面）上に、反射層（光反射層）１２、透光性の光散乱層１３、平行に配された複数の信号電極（液晶駆動用電極）１５、並びに液晶配向膜１６が順に形成されてなる信号電極側基板１０と、透光性基板２１の一方の面（対向面）上に、平行に配された複数の走査電極（液晶駆動用電極）２２および液晶配向膜２３が順に形成されてなる走査電極側基板２０とが、それぞれの対向面により液晶材料１７を挟装するべく対向配置された液晶パネル構造を有している。また、上記信号電極１５と走査電極２２とは互いに直行するように配されている。
【００７１】
なお、それぞれの「透光性基板の対向面側」とは、透光性基板１１（または透光性基板２１）の対向面側と液晶材料１７との間を指すものとする。また、「対向面側にＡ層とＢ層とがこの順に積層される」とは、Ａ層とＢ層とが積層構造になっているとともに、該Ａ層がＢ層より対向面近傍に位置していることを指す。したがって、場合によっては、上記対向面とＡ層との間に、他の層が介在していてもよい。
【００７２】
この液晶表示素子３０は、白黒表示に適用された単純マトリクス型の液晶表示素子であり、上記信号電極１５と走査電極２２との交差部間に所定の電圧を印加し、液晶材料１７の有する電気光学効果を用いて表示を行う反射型液晶表示素子である。なお、この液晶パネル構造において、透光性基板１１，２１それぞれの「対向面」は液晶セル内面を形成するものであり、場合によっては「内面」と称するものとする。また、透光性基板１１，２１それぞれの「内面」の背向面を、「外面」と称するものとする。
【００７３】
以下、上記液晶表示素子３０の製造工程の概略について説明を行う。まず、液晶表示素子３０を構成する信号電極側基板１０の製造工程を説明する。はじめに、透光性基板１１の一方の面（対向面）上にアルミニウム等の高反射特性を有する材料よりなる薄膜、すなわち、反射層１２をスパッタリング法により面内均一に形成する。反射層１２の層厚（膜厚）は特に限定されるものではないが、本実施の形態では約１０００Åである。また、反射層１２をなす材料は所望される反射特性を有するものであれば特に限定されるものではなく、例えば、銀などを使用することもできる。
【００７４】
続いて、基材としてのアクリル系樹脂に粒径２μｍの粒状シリカ（光散乱粒子）１４がほぼ均一に分散されてなる透光性樹脂材料をスピンコーティングにより反射層１２上に均一に塗布し、例えば、紫外線硬化することで層厚６μｍの光散乱層（透光性樹脂層）１３を形成した。なお、本実施の形態では、図３に示すように、反射層１２が完全に被覆されるべく光散乱層１３を形成している。また、光散乱層１３の層厚は特に限定されるものではないが、平面平坦性を確保しながら、膜厚分布による散乱特性の面内分布を抑えるという理由により、５μｍ〜１５μｍの範囲内であることがより好ましい。
【００７５】
上記透光性樹脂材料をなす基材は、透光性を有し、かつ、光散乱粒子を変質させることなく分散できるものであれば特に限定されるものではなく、例えば、シリコーン樹脂、エポキシ樹脂などを、アクリル系樹脂に代えて使用することができる。ただし、平坦な薄膜を容易に形成することが可能である（平面平坦性が良好である）という観点からはアクリル系樹脂がより好ましい。また、光散乱粒子１４は、上記基材とは異なる屈折率を有する粒子状物質であって、光散乱層１３の層厚以下の粒子径を有するものであれば特に限定されるものではなく、例えば、ガラスビーズ、プラスチックビーズ等を使用することができる。
【００７６】
続いて、上記光散乱層１３上にＩＴＯ（Ｉｎｄｉｕｍ  Ｔｉｎ  ｏｘｉｄｅ）  等の透明（透光性）導電性材料よりなる透明導電膜をスパッタリング法により面内均一に形成した。そして、該透明導電膜をフォトリソグラフィー法によりパターニングすることで、互いに略平行に配された複数の信号電極（一つのみ図示される）１５が形成される。そして、この信号電極１５を被覆し、かつ、凹凸を平坦化するように、ポリイミド材料等の透光性材料よりなる薄膜が印刷法によりパターン形成され、該薄膜にラビング処理を施すことにより液晶配向膜１６が形成される。上記説明のようにして信号電極側基板１０は製造される。
【００７７】
次に、走査電極側基板２０の製造工程の概略について以下に説明を行う。はじめに、透光性基板２１の一方の面（対向面）上にＩＴＯ（Ｉｎｄｉｕｍ  Ｔｉｎ  ｏｘｉｄｅ）等の透明（透光性）導電性材料よりなる透明導電膜をスパッタリング法により面内均一に形成する。そして該透明導電膜をフォトリソグラフィー法によりパターニングすることで、互いに略平行に配された複数の走査電極２２が形成される。そしてこの走査電極２２を被覆し、かつ、凹凸を平坦化するように、ポリイミド材料等の透光性材料よりなる薄膜が印刷法によりパターン形成され、該薄膜にラビング処理を施すことにより液晶配向膜２３が形成される。
【００７８】
続いて、液晶配向膜１６，２３の一方（場合によっては両方）に対しスペーサー１８を分散するとともに、信号電極側基板１０または走査電極側基板２０の周縁部に、接着材および封止材としてのシール樹脂層１９を形成する。なおシール樹脂層１９は図示しない液晶注入口に相当する部分には形成しない。
【００７９】
そして、信号電極側基板１０と走査電極側基板２０とがシール樹脂１９を介して貼り合わされる。次いで、液晶セル内部に対し液晶注入口より液晶材料１７を注入・充填し、液晶注入口を封止することで液晶表示素子３０が製造される。なお、上記のスペーサー１８は、上記液晶表示素子３０のセル間隔を一定に保持するべく機能する。また、上記信号電極１５が走査電極として、かつ、走査電極２２が信号電極として機能する構成であってもよい。
【００８０】
上記の製造工程でも説明したように、反射層１２と光散乱層１３とはいずれも平面状に均一に形成されている。したがって、凹凸形状を有する樹脂層上にその形状に沿って反射層（光反射層）を形成して光散乱・反射板とする従来の反射型液晶表示素子（従来型液晶表示素子と称する）と比較すれば、該凹凸形状平坦化のために平坦化樹脂層を設ける必要がない。よって、目的とする光散乱・反射板（すなわち、本実施の形態における反射層１２と光散乱層１３との積層構造板）を備えた反射型液晶表示素子を効率よく製造することが可能である。
【００８１】
また、本実施の形態において、反射層１２は１０００Åと極めて薄い層厚で透光性基板１１内面上に形成されており、該内面と同等の平坦性を有すると考えられる。すなわち、光散乱層１３は、高い平坦性を有する反射層１２上に形成されるので、面内分布および基板間分布よく（すなわち、品質安定性よく）形成可能である。本実施の形態では、光散乱層１３の層厚は６μｍであるが、面内分布と基板間分布との双方に優れるとともに、その表面平坦性も水平面を基準として±０．１μｍ以内と極めて優れた値を示した。さらに、この構造では、反射層１２と光散乱層１３との間に介在する層がないため光学的なロスを抑制することが可能であり、上記従来型液晶表示素子と同等の極めて優れた光学特性（コントラストや視野角等）を有する反射型液晶表示素子を品質安定性良く製造することが可能である。
【００８２】
図４に示すように、製造された液晶表示素子３０が反射型のみに適用される場合、表示に利用される光は透光性基板２１の外面側（図中、観測者Ｍのいる側）にある反射用光源３１より該液晶表示素子３０内に入射される。この光は、例えば、偏光板と位相差板とを積層してなるフィルム（以下、偏光位相差板２７と称する）を透過させた光として液晶表示素子３０に与えられ、透光性基板２１、透明導電性材料よりなる走査電極２２（光の一部は走査電極２２・２２間を透過する）、液晶配光膜２３、液晶材料１７、液晶配向膜１６、透明導電性材料よりなる信号電極１５（光の一部は信号電極１５・１５間を透過する）、並びに、透光性樹脂層である光散乱層１３、を順に透過して反射層１２に到達し、該反射層１２において透光性基板２１方向に反射される。
【００８３】
反射層１２において反射された上記光は、直ちに光散乱層１３に入射され、該光散乱層１３中に均一に分散された光散乱粒子１４により、液晶セル内部に均一に拡散されて表示に利用される。なお、光散乱層１３の光散乱特性（光拡散特性）は、例えば、基材と光散乱粒子１４との組合せ；光散乱粒子の粒子径；光散乱粒子１４の含有量；層厚；基材中における光散乱粒子１４の分散均一性度合い；等の要素を変更することにより所望するように制御可能である。
【００８４】
上記偏光位相差板２７は、反射用光源３１と液晶表示素子３０との間に配置されていればよく、透光性基板２１の外面上に貼り付けられて液晶表示素子３０と一体化されたものであってもよい。偏光位相差板２７を設けることにより、反射用光源３１の存在下で良好な表示品位を得ることが可能となる。また、上記光を発する反射用光源３１は特に限定されるものではなく、自然光源または人工光源（補助光源等）より任意に選択すればよい。
【００８５】
なお、透光性基板１１，２１としては、一般的には、寸法安定性に優れている等の理由でガラス基板が使用されるが、本発明のように、可搬性を重視し、また、使用時に他のディスプレイ手段と切り替えて使用するという特殊性を考慮すると、透光性プラスチック基板（透光性プラスチック材料からなる基板）を使用することが望ましい。この理由として、本実施の形態にかかる液晶表示素子３０は、白黒表示に好適に適用されるので、
（１）透光性基板１１，２１のそれぞれに形成される樹脂層の数は比較的少なく、寸法変化の制御が比較的容易であること、
（２）厳密な位置あわせが要求されるのは、基本的に、液晶駆動用電極（信号電極１５および走査電極２２）同士の位置関係だけであるため寸法変化に対する許容度が比較的広いこと、
（３）可撓性とすることにより、他のディスプレイ手段との切り替え使用時に、より紙に近い使用感覚（ページをめくる感覚）が得られること、すなわち、手になじみやすい、
等が挙げられる。
【００８６】
加えて、ガラス基板にかえて透光性プラスチック基板を使用すれば、本発明にかかる反射型液晶表示素子の薄型化、軽量化が可能となるとともに、割れ・ひびなどの破損が生じにくい等の利点がある。本発明では、実際に、透光性基板１１，２１として透光性プラスチック基板を使用した場合でも、図４に示す表示用光学システムを適用することで良好な表示品位を得ることができている。なお、本発明において、プラスチック基板とは、透光性、可撓性を有するプラスチック基板であれば特に限定されないが、例えば、ポリエチレンテレフタレート（ＰＥＴ）、ポリエーテルスルホン（ＰＥＳ）、ポリエチレンナフタレート（ＰＥＮ）、ポリカーボネート（ＰＣ）、ナイロン、ポリエーテルエーテルケトン（ＰＥＥＫ）、ポリスルホン（ＰＳＦ）、ポリエーテルイミド（ＰＥＩ）、ポリアリレート（ＰＡＲ）、ポリブチレンテレフタレート（ＰＢＴ）、または、ポリイミドからなる基板を指している。
【００８７】
図５及び図６は、本発明の複合ディスプレイユニットに好適に適用される他の電子ディスプレイ手段の一例として、マイクロカプセル型のディスプレイシステムの部分破断図を示す。デバイスは、一般的に、ＫＡＰＴＯＮ薄膜のような薄い可撓性の材料である基板４０を備える。行電極４２は、印刷プロセスによって基板４０上に被着されていることが好ましい。例示の実施態様では、非線形バックプレーン４４は、粒状バリスター材料または粒状ダイオード材料の連続層である。４４で示す構造は、また、粒状シリコンの層、印刷された金属接点、及び、次に、粒状シリコンの別の層とすることができる。代替的には、構造４４は、ＰＮＰＮＰＮＮＰＮＰＮＰのような上に向かうパターンで印刷された、Ｐ型及びＮ型のドーピングされた粒状半導体インクの層から構成することができる。任意の多くの数の層を印刷することができ、その最適な数は、主として所望の破壊電圧に依存して決まる。
【００８８】
第１の組（行電極）４２に位置合わせされた、オプションの第２の組の印刷された行電極４６（図５にのみ示している）は、非線形材料４４の他方の面に対する接点を設ける。Ａｃｈｅｓｏｎ  ＭＬ２５２０８のような絶縁材料が、電極４２間の空間を画定するレーン４８に印刷被着され、これによって、なめらかな表面が形成される。電気泳動式ディスプレイのマイクロカプセルの層のような電気光学ディスプレイ４１は、電極４６上に、もし、それらが省かれている場合には、非線形バックプレーン４４上に印刷被着される。１組の透明な列電極４９が、行電極４２（及び、もし、含まれていれば４６）に直交するパターンで、ディスプレイ４１上に印刷被着される。絶縁材料は、列電極４９間のレーン５０に印刷被着される。アクティブな画素は、ディスプレイ４１の領域内で画定され、そこでは、これらの直交する電極の組がオーバーラップする。従って、Ｍ個の行電極とＮ個の列電極を備えるディスプレイは、Ｍ×Ｎ個の画素を有する。
【００８９】
図７、図８にマイクロカプセル４７によるディスプレイ表示の動作原理を示す。この原理によるものは、マイクロカプセル４７がＩＴＯ電極付きの可撓性を有するプラスチックフィルム上にシリコン樹脂等をバインダーとして塗布されているため、自由に曲げることができ、手によくなじむためページめくり等がしやすく、大変扱いやすいディスプレイ手段である。
【００９０】
図７は、単一のタイプまたは色の粒子を含む電気泳動マイクロカプセルの例である。電極４６および４９に、選択的に逆向きのバイアスをかけることによって、スピロピランとキレート剤を含み、マイクロカプセル４７に封入されている、電荷を有する着色粒子５１の多くが、オイルよりなる染料添加懸濁流体５２の中で、一方の電極の方向あるいは逆向きに移動をおこす。
ここで、白色を得るためにこのような着色粒子５１としては、例えば、酸化チタンを用いることもできる。その場合、着色粒子５１が電極４６の方向に引きつけられ、その色（今、ここでは白色）が見えるようになる。その逆の形態になると、着色粒子５１が電極４６の方向に引きつけられ、その結果、粒子は染料添加懸濁流体５２によって見えなくなってしまう。
【００９１】
図８（Ａ）および（Ｂ）は、複数のタイプまたは色の粒子を含む電気泳動マイクロカプセルの例である。図８（Ａ）においては、電気泳動マイクロカプセル４７の中にオイルよりなる懸濁流体５３があり、その中にはスピロピランおよびキレート剤を含む単一の色の多量の電荷粒子５４と、別な色あるいは視覚的に対照的な色で同程度の量の非電荷粒子５５が分散されている。ここで、それぞれの粒子５４、５５は、例えば、酸化チタン（白色用粒子）とカーボンブラック（黒色用粒子）とされる。
【００９２】
電極４９および４６にバイアスをかけると、電荷を有する着色粒子５４が電極４９の方に移動する（この場合には、その粒子の色が強くなる。今、ここでは白色）か、あるいは、電極４６の方に移動する（この場合には、粒子５４は粒子５５の後に隠れてしまうので、粒子５５の色が強くなる。今、ここでは黒色）。この実施態様においては、それぞれの粒子５４、５５は、例えば、酸化チタン（白色用粒子）とカーボンブラック（黒色用粒子）としたが、スピロピランおよびキレート剤を電荷粒子５４や非電荷粒子５５の中に入れてもよい。
【００９３】
図８（Ｂ）に別な方法を示す。図８（Ｂ）において、粒子５４と、それとは別の色にした粒子５６に逆の電荷を担持させると、プッシュ・プル効果が生まれ、電極４９に引きつけられる粒子の視認性を高め、逆側の粒子による視覚的な妨害を防ぐことができる。また、別な方法では異なった粒子の組を作る際に、同じ符号の電荷であるがその電荷の大きさを変えておくこともできる。これらすべての実施態様において、粒子５４と粒子５６の電気泳動的な移動性には実質的に差がある。なお、本明細書で「実質的に差がある」という用語を用いる場合には、一方の色の粒子の約２５％未満、好ましくは、約５％未満しか他方の色の粒子と同一あるいは類似の電気泳動的挙動を示さないことを意味する。
【００９４】
次に、本発明の複合ディスプレイユニットに好適に適用される非電子ディスプレイ手段の代表例であるとともに、本発明の非電子ディスプレイ手段としてより好ましい紙について説明する。いうまでもなく、紙は可撓性を有しており、手になじみやすくページめくり等がしやすいものであるが、ここでは、より扱いやすい紙について検討する。
【００９５】
本発明に適した紙は、植物より加工され、植物組織をいったんバラバラにして、植物が本来その成長過程で持っている細胞繊維組織の方向性（異方性）をランダムにして、繊維の集合体が等方的な性質を持つようにして、シート状にするとともに、素材の密度を、０．５０ｇ／ｃｍ３以上にするようにしたものである。なお、ここでいっている密度とは、製紙業界で一般に適用している密度のことであり、秤量（１ｍ２あたりの重さ（グラム数））を厚さで除して算出したものである（いわゆる物理学でいうところの密度とは厳密には同じではない）。
【００９６】
これは、表示体としての閲覧性および書き込み手段としての書き込み性（例えば、筆記インクの浸透性や裏面まで浸透しないことなど）ならびにそれらの作業を行う際のページめくりのしやすさ等を考慮したこしの強さ（剛性）などを総合的に加味して決められるものである。本発明では、表１に示す９種類の紙を、図１１のように示すように形成し、図９（Ｂ）に示すように、バインダー６２に留められるような形状とし、それぞれ、１０枚ずつ準備して使いやすさを評価した。
【００９７】
その結果、サンプルＮｏ.７、８、９のものは、機械的強度（こし）が弱く、ページめくりする際にまつわりつき使いにくいものであることがわかった。また、それらはボールペンで強く筆記すると裏面に押圧による変形（文字の浮き）が現れ、さらに、その下の紙にその押圧による文字の線が写り、好ましくないこともわかった。また、これらの紙で万年筆で筆記した場合、裏面からもはっきり見えるくらいにインクが裏面近くまで浸透し好ましくないこともわかった。一方、それ以外のサンプルは、こしも強く、また、裏面への文字の浮きもなく大変使いやすいものであった。また、インクの浸透も裏面側から見て全く気にならない程度であった。
【００９８】
つまり、本発明のように、非電子ディスプレイ手段としての紙を複数枚束ねて使用する場合には、ある程度のこしの強さ、またインク等の筆記性などを考慮して、紙の密度を０．５０ｇ／ｃｍ３以上にしなければならないことがわかった。
【００９９】
【表１】
2006208918.tif 000003
【０１００】
なお、他の紙の例として、石油・石炭・天然ガス等の化石燃料から化学的に作られるいわゆる合成紙も、本発明の非電子ディスプレイ手段として好適に用いることができる。また、ＯＨＰシート等のプラスチックシート等も同様に用いることができる。これらも上記紙と同様に可撓性を有しており、手になじみやすくページめくり等がしやすいものである。
【０１０１】
上記各種の電子／非電子ディスプレイ手段は、本発明の複合ディスプレイユニットに好適に適用できる例としてあげたものであるが、本発明が、これらのディスプレイ手段のみに限定されるものではないことはいうまでもない。
【０１０２】
例えば、さらに、他の非電子ディスプレイ手段、すなわち、電気的な制御を利用しないあるいは熱や光などの他の制御手段によって表示を行うディスプレイ手段としては、いわゆる、リライタブルペーパーと呼ばれているものが適用できる。
【０１０３】
これは、例えば、紙や樹脂フィルム等の支持体上に、以下に説明するような材料を記録層として塗布してなり、熱エネルギー制御によって発色に可逆性を与え、表示／消去を可逆的に行うものである。透明白濁型リライタブルマーキング法とロイコ染料を用いた発消色型リライタブルマーキング法があり、いずれも熱記録方式のためサーマルヘッドを用いた熱エネルギー制御によって記録することができる。
【０１０４】
透明白濁型は、高分子薄膜の中に脂肪酸の微粒子を分散したもので、１１０℃以上に加熱すると脂肪酸の溶融により樹脂が膨張する。その後、冷却すると脂肪酸は過冷却状態になり液体のまま存在し、膨張した樹脂が固化する。その後、脂肪酸が固化収縮して多結晶の微粒子となり、樹脂と微粒子間に空隙が生まれる。この空隙により光が散乱されて白色に見える。次に、８０℃から１１０℃の消去温度範囲に加熱すると、脂肪酸は一部溶融し、樹脂は熱膨張して空隙を埋める。この状態で冷却すると透明状態となり画像の消去が行われる。
【０１０５】
ロイコ染料を用いたリライタブルマーキング法は、無色のロイコ型染料と長鎖アルキル基を有する顕消色剤との可逆的な発色および消色反応を利用している。サーマルヘッドにより加熱されると、ロイコ染料と顕消色剤が反応して発色し、そのまま急冷すると発色状態が保持される。今度は、加熱後、ゆっくり冷却すると顕消色剤の長鎖アルキル基の自己凝集作用により相分離が起こり、ロイコ染料と顕消色剤が物理的に分離されて消色する。
【０１０６】
他に、レーザ光等の光エネルギー制御によって発色に可逆性を与え、表示／消去を可逆的に行うものがある。例えば、紫外光を当てるとＣ（シアン）に発色し、可視光のＲ（レッド）の光で消色するフォトクロミック化合物、紫外光を当てるとＭ（マゼンタ）に発色し、可視光のＧ（グリーン）の光で消色するフォトクロミック化合物、紫外光を当てるとＹ（イエロー）に発色し、可視光のＢ（ブルー）の光で消色するフォトクロミック化合物を紙や樹脂フィルム等の支持体上に設けたいわゆるカラーリライタブルペーパーである。これは、一旦、紫外光を当てて真っ黒にし、Ｒ・Ｇ・Ｂの光を当てる時間や強さで、Ｙ・Ｍ・Ｃに発色する３種類の材料の発色濃度を制御してフルカラーを表現する。仮に、Ｒ・Ｇ・Ｂの強力な光を当て続ければ３種類とも消色して真っ白にすることもできる。このような、光エネルギー制御によって発色に可逆性を与えるものも本発明の非電子ディスプレイ手段として好適に適用される。
【０１０７】
なお、本発明の複合ディスプレイユニットに適用される非電子ディスプレイ手段はこれらに限定されるものではなく、要するに、本発明のポイントは、非電子ディスプレイ手段を複数種類設け、用途（カラー／モノクロ表示、追記可否、手書き加筆／サーマルヘッドあるいはレーザ手段による画像形成および消去など）に応じて使い分けるということである。
【０１０８】
このような非電子ディスプレイ手段は、いずれも表示部分が電子ディスプレイ手段に比べてはるかに簡単な構成であり、いわゆる紙あるいはそれとほぼ同等の厚さ、軽さとすることができるため、電子ディスプレイ手段より厚さを薄くし軽量とすることができる。またこれらの非電子ディスプレイ手段は可撓性を有しており、手になじみやすくページめくり等がしやすいものである。
さらに、このような非電子ディスプレイ手段は紙と同様に薄く、また、軽いため、ほとんど紙と同じようにページめくり等の扱いやすさがあるので、複数枚束ねて使用することが効果的である。
【０１０９】
次に、図９から図１１を用いて、本発明に係る各種ディスプレイ手段を組み合わせたユニットの実施の形態の全体的構成について説明する。なお、以下に示す実施の形態は例示であり、これに限定されるものではない。
【０１１０】
図９（Ａ）は、本発明の複合ディスプレイユニットを閉じた時の斜視図、図９（Ｂ）は開いた時の斜視図であり、本発明による複合ディスプレイユニットは、このように外側カバー６０ならびにカバー留め具６１よりなり、ブック状に構成され、各種ディスプレイ手段６５を外側から挟み込むように外側カバー６０が配置される。ここで、この外側カバー６０は前述の非電子ディスプレイ手段より厚くしている。これは、こしの弱い非電子ディスプレイ手段を使用時（例えば表示時あるいは書き込み時）に良好に保持／支持できるようにするためである。そして、その材質は、後述する不慮の事故防止も考慮して、ポリカーボネート樹脂、ＡＢＳ樹脂、塩化ビニル樹脂等の硬質プラスチック材料などとすればよい。
【０１１１】
図９（Ｂ）は、留め具６１をはずし、内部を本のように開いた状態であり、保持されたディスプレイ手段６５は、バインダー６２により保持されている。
本発明においては、このディスプレイ手段６５として、上記説明のような、例えば、カラー表示あるいは動画表示を行う有機ＥＬによるディスプレイと、モノクロ表示あるいは静止画表示を行う液晶ディスプレイや電気泳動粒子を利用したディスプレイ、さらに、古典的表示手段である紙などを積層し、このような電子的なディスプレイ手段と紙などの混合群をバインダー６２（図１０参照）により保持している。なお、紙は、ディスプレイ手段であるとともにいわゆるノートとしての使い方もできるので、ディスプレイ手段ならびに書き込み媒体ということもできる。
【０１１２】
なお、カラー／モノクロ、動画／静止画のそれぞれを表示する各ディスプレイ手段は、上記の組み合わせに限定されるものではなく、どのディスプレイ手段を利用するかは使う側で適宜選べばよい。また、ディスプレイ手段も、上記各ディスプレイ手段に限定されるものではなく、これら以外のディスプレイ手段も適宜組み合わせて、ディスプレイ手段の混合群として使用すればよい。
【０１１３】
図１１は、本発明の複合ディスプレイユニットに適用される各種電子ディスプレイ手段ならびに紙などの非電子ディスプレイ手段等を保持する方法を説明するために、１つだけ取り上げ概念的に示した図である。本発明の複合ディスプレイユニットは、ディスプレイ手段６５として、上記説明のように有機ＥＬディスプレイ、液晶ディスプレイ、電気泳動ディスプレイ等の電子ディスプレイ手段、そして、紙あるいはリライタブルペーパー等書き込み機能をも有する各種ディスプレイ手段を適宜組み合わせてなるものであるが、これらのディスプレイ手段あるいは書き込み媒体等には、複数個の穴６６を設け、図９（Ｂ）に示したようにして、バインダー６２のピン６４によって嵌合されている。
【０１１４】
つまり、これらの各ディスプレイ手段は、保持手段との取り付け部分を互換性のある形状（今この例では、複数個の穴６６を設けた形状）とするとともに、各ディスプレイ手段が着脱あるいは交換可能としている。そして、このような電子的なディスプレイ手段と紙をはじめとした各種非電子ディスプレイ手段の混合群は、本のようにページめくりをすることができるので、所望のディスプレイ手段を必要に応じて自由に使用することができる。
【０１１５】
また、このバインダー６２は、図１０に示すように、回転部６３を軸とし、バインダー留め部６２ｃとバインダー留め部６２ｄの着脱を行うことにより、バインダー６２ａとバインダー６２ｂに図の矢印方向に回転分割でき、ピン６４も分割され、ディスプレイ手段（あるいは紙）６５を着脱可能としている。すなわち、紙などは筆記によりたまったものを新たな紙に交換することができる。また、紙に限らず、上記電子的なディスプレイ手段も、故障等が生じた場合に交換することも簡単にできるようになっている。
【０１１６】
次に、本発明の他の特徴について説明する。前述のように、本発明は、電子的なディスプレイ手段と紙をはじめとした各種非電子ディスプレイ手段の混合群であるが、ここでは、このようなディスプレイ手段への情報入力手段を備えた例について説明する。
【０１１７】
図１２は、本発明の複合ディスプレイユニットにキーボード６７を備えた例を説明するための斜視図で、この場合、キーボード６７にも各種ディスプレイ手段６５と同様に複数個の穴６６が設けられ、バインダー６２のピン６４によって嵌合されている。そして、通常は、他の各種ディスプレイ手段６５と同様に外側カバー６０内に保持され、携帯されるようになっているが、各種ディスプレイ手段６５と同様に接続部の形状を互換性があるようにして着脱自在とした構成であるので、使用時に、図１２に示したように、バインダー６２からはずし、外側カバー６０の外側に引き出して使用してもよい。バインダー６２のピン６４によって嵌合された状態で使用してもよいのはいうまでもない。
【０１１８】
図１２では、情報入力手段であるキーボード６７を、外側カバー６０の内部に保持する例を示した。そして、それは情報入力手段であるキーボード６７を外力等から保護したり、あるいは、汚染等から保護したりするのには最もよい構成である。
一方で、この情報入力手段であるキーボード６７を外側カバー６０の外側に設けてもよい。その場合、各キー面は破損、汚染等から保護するために、外側にむき出しにならないように見開きの内向きになるようにしておく。つまり、キー配置の裏面側が外側カバーを兼用するような構成とする。このようにすると、キー配置の裏面側が外側カバーを兼用することができるので、外側カバー６０の少なくとも片側を省略することも可能となる。
【０１１９】
なお、図１２では、各キーが立体的な構成のキーボードの例を示しているが、キーボード全体を可撓性シート状構造とし、各キーもタッチパネル式とし、全体をキーボードならぬキーシートとすると、本発明の複合ディスプレイユニットに組み合わせた場合、軽量化、可搬性、ページめくりのしやすさ等の使い勝手が向上する。
【０１２０】
さらに、詳述は避けるが、このような情報入力手段を備えた本発明は、情報の入出力、演算記憶といったコンピュータ手段も有するものである。そして、このコンピュータ手段は、本発明の各種ディスプレイ手段６５と電気的接続される。いうまでもないが、その接続は着脱可能である。このコンピュータ手段は、このようなキーボードと一体的に構成してもよいし、別構成としてもよい。また、このコンピュータ手段は他の各種ディスプレイ手段６５と同様にバインダー６２から着脱可能としてもよいし、外側カバー６０等に組み込んだ一体的構成としてもよい。
【０１２１】
他の情報入力手段として、本発明では、タッチパネル方式と手書きペン入力手段を採用するのも良い手段である。また、入力ツールとしてペン状の物に限らず、人間の指による方式を採用してもよい。
【０１２２】
以上の例は、主として、文字等のコード情報入力を想定した場合であるが、他の情報入力手段として、画像情報をビットマップ情報として入力する手段も本発明に好適に適用できる。具体的には、スキャナーが好適に適用される。近年、技術が進歩し、スキャナーもかなり薄い板状の構成をとることができ、本発明の複合ディスプレイユニットに着脱可能な構成とすることができるようになった。
【０１２３】
さらに、デジタルカメラ／デジタルビデオカメラ等に代表されるイメージキャプチャー手段を、本発明に適用する情報入力手段とすることもよい方法である。このようなイメージキャプチャー手段によって得られた動画／静止画情報は、本発明の各種ディスプレイ手段によって、好適に再生、表示される。なお、イメージキャプチャー手段の場合は、必ずしも、他の各種ディスプレイ手段と同様に板状／シート状にする必要はなく、本発明の複合ディスプレイユニットに着脱可能なようにすればよい。
【０１２４】
次に、本発明の他の特徴について説明する。本発明は、上記説明のように各種電子ディスプレイ手段あるいは情報入力手段等を、一体的に束ね、外側カバー６０で覆ったものである。そして、その使用方法は、携帯して使用する場合が多い。そして、例えば、かばん等に入れて持ち運びされるシーン等を想定すると、外側カバー６０内の各種電子ディスプレイ手段等が外部からの圧力によって破損したりすることがままある。
【０１２５】
そこで、本発明では、このような外側カバー６０に、単に各種電子ディスプレイ手段等を覆うという機能に加えて、それらを機械的／物理的な圧力から保護する機能を付与している。
【０１２６】
具体的には、図９（Ａ）において、図９（Ａ）は、ブック状の本発明の複合ディスプレイユニットが閉じられた状態を示したものであるが、このようなブック状の形状において、外側カバー６０が表表紙、背表紙、裏表紙からなると見立て、表表紙と裏表紙の間隔（本でいうならば厚さに相当）が、ある間隔以下にならないようにしている。具体的には、表表紙と裏表紙の間隔を決めるブロック状のストッパーを表表紙と裏表紙のどちらか一方あるいは両方に複数個設け、そのブロック高さで、表表紙と裏表紙の間隔を決めるようにしている。いうまでもないが、このブロックの高さは、この外側カバー６０内に保持された各種ディスプレイ手段の集合体全体の厚さ以上の高さとしている。
【０１２７】
また、それに加えて、この外側カバー６０にもある程度の機械的剛性を持たせ、不慮の事故により物理的外力が加わった際に、内部の各種電子ディスプレイ手段が破損しないようにしている。このような機械的剛性を持たせることができる材料としては、ポリカーボネート樹脂、ＡＢＳ樹脂、塩化ビニル樹脂等の硬質プラスチック材料が使用できる。
【０１２８】
つまり、本発明においては、外側カバー６０に付与されたある程度の剛性と、それを閉じた際に各種ディスプレイ手段の集合体全体の厚さ以下には閉じないようにされたストッパー機能によって、内部の各種電子ディスプレイ手段を外部の物理的外力から守っているのである。
【０１２９】
なお、他の構成として、外側カバー６０そのものを、剛性のある容器のように構成し、その容器の内部に各種ディスプレイ手段の集合体全体を入れるようにしてもよい。このような容器を構成する材料は例えばポリカーボネート樹脂、ＡＢＳ樹脂、塩化ビニル樹脂等の硬質プラスチック材料で充分である。
【０１３０】
次に、本発明の他の特徴について説明する。前述のように、本発明は、電子的なディスプレイ手段と紙をはじめとした各種非電子ディスプレイ手段の混合群である複合ディスプレイユニットであるが、このような電子的なディスプレイ手段に電力を供給する構成について説明する。
【０１３１】
本発明の複合ディスプレイユニットは、本来の趣旨（表示機能あるいは書き込み機能）からいえば、ディスプレイ手段６５を上記のように積層したものをバインダー６２によって保持すれば一応機能する。しかしながら、本発明では、図９に示したように、内容物であるディスプレイ手段６５をバインダー６２によって保持するとともに、外側カバー６０によって覆っている。これは高価な電子的なディスプレイ手段である内容物を保護するためのものであるが、本発明においては、この外側カバー６０に内容物を保護する以上の機能を持たせている。すなわち、電子的なディスプレイ手段に電力供給手段としての機能である。
【０１３２】
具体的には、本発明においては、外側カバー６０をシート状構成としたバッテリーとしている。より具体的には、ポリマー電解質電池が好適に用いることができる。以下、その構造の１例について図１３から図１５を用いて説明する。
【０１３３】
図１３において、７０はゲル状ポリマー電解質保持正極ユニットで、７２はゲル状ポリマー電解質保持負極ユニットである。上記ゲル状ポリマー電解質保持正極ユニット７０は、図１４に示すように、正極７５を袋状の支持体７７に収容し、正極７５と支持体７７とを一体化した後、ゲル化成分含有電解液を含浸させ、その状態で紫外線を照射してモノマー成分を重合するとともに電解液をゲル化してゲル状ポリマー電解質７６にすることにより構成されたものである。
【０１３４】
ただし、図１４は、ゲル状ポリマー電解質保持正極ユニット７０を模式的に示すもので、ゲル状ポリマー電解質７６が支持体７７の周囲に形成されているかのように図示されているが、実際には、正極ユニットへのゲル化成分含有電解液の含浸時に上記ゲル化成分含有電解液が多孔質の不織布で構成される支持体の内部に侵入し、さらに、正極の内部の空孔部分にも侵入し、そこで重合とゲル化が行われてゲル状ポリマー電解質になっている。しかし、その部分のゲル状ポリマー電解質は図示しがたいので、この図１４においては図示していない。
【０１３５】
また、ゲル状ポリマー電解質保持負極ユニット７２は、図１５に示すように、負極７８を袋状の支持体７７に収容し、負極７８と支持体７７とを一体化した後、ゲル化成分含有電解液を含浸させ、モノマー成分を重合するとともにゲル化してゲル状ポリマー電解質７６とすることによって構成されたものであり、このゲル状ポリマー電解質保持負極ユニット７２におけるゲル状ポリマー電解質７６の形成態様も上記ゲル状ポリマー電解質保持正極ユニット７０に関連して説明した場合と同様である。
【０１３６】
そして、図１３において、７４は上記ラミネートフィルムからなる外装体であり、この外装体７４で上記ゲル状ポリマー電解質保持正極ユニット７０とゲル状ポリマー電解質保持負極ユニット７２とを積層して構成したユニットセルを外装しており、上記ゲル状ポリマー電解質保持正極ユニット７０の正極７５のリード部と正極端子７１とは溶接によって接続され、ゲル状ポリマー電解質保持負極ユニット７２の負極のリード部と負極端子７３とは溶接によって接続され、正極端子７１の自由端側と負極端子７３の自由端側が外装体７４の外部に引き出されて電池が構成されている。
【０１３７】
以下、具体的な実施例を説明する。この例では、正極、負極ともあらかじめ支持体となる不織布で包んで電極と支持体とを一体化しておき、そのリード部に熱剥離シートを貼着してから、そのそれぞれにゲル化成分含有電解液を含浸させ、ゲル化してゲル状ポリマー電解質にする。まず、電極と支持体とを一体化して電極ユニット（つまり、電極と支持体との一体化物）とする工程から説明する。
【０１３８】
正極ユニットの作製：
支持体としては、厚さ３０μｍ、坪量１２ｇ／ｍ２のポリブチレンテレフタレート不織布〔ＮＫＫ社製、ＭＢ１２３０（商品名）〕を用い、これを２００ｍｍ×３２０ｍｍに切断した。
上記正極のリード部に熱剥離シート〔日東電工（株）製のリバアルファ（商品名）〕を貼着した後、この正極を上記ポリブチレンテレフタレート不織布の長さ方向の中央部より左側の部分に載置し、右側の部分を折り返して正極を覆った後、その幅方向の両側部を熱融着器（商品名：ポリシーラー、富士インパルス（株）製）でシールして支持体としてのポリブチレンテレフタレート不織布を袋状にし、両者を密接させて正極と支持体とを一体化して正極ユニットとした。
【０１３９】
負極ユニットの作製：
上記負極のリード部に正極の場合と同様の熱剥離シートを貼着した後、この負極を正極の場合と同様の袋状のポリブチレンテレフタレート不織布に収容し、両者を密接させて負極と支持体とを一体化して負極ユニットとした。
上記正極ユニットおよび負極ユニットをそれぞれ前記ゲル化成分含有電解液に減圧下で１分間浸漬して正極ユニットおよび負極ユニットにゲル化成分含有電解液を含浸させた後、それぞれをポリエチレン製の袋に入れ、密閉した。
【０１４０】
つぎに、上記電極ユニット入りのポリエチレン製袋の両面から、フュージョンＵＶシステムズ・ジャパン（株）製の紫外線照射装置を用いて、紫外線を１．２Ｗ／ｃｍ２の照度で８秒間照射し、電解液中のモノマー成分を重合させるとともに、電解液をゲル化してゲル状ポリマー電解質にした。
【０１４１】
上記のように、ゲル化してゲル状ポリマー電解質を保持させた正極ユニットおよび負極ユニットを袋から取り出し、そのリード部に１４０℃〜１６０℃の熱風を吹きつけることによって熱剥離シートをリード部から剥がした後、上記のゲル状ポリマー電解質保持正極ユニットとゲル状ポリマー電解質保持負極ユニットとを積層してユニットセルとし、それをポリエステルフィルム−アルミニウムフィルム−変性ポリオレフィンフィルムの三層構造のラミネートフィルムからなる外装体で外装して密閉することによりポリマー電解質電池を作製した。
【０１４２】
このように、ポリマー電解質電池では、電解質をシート状にすることができ、それによって、例えば、Ａ５版〜Ａ３版などの大面積でしかも薄形の電池の作製が可能になる。このようなポリマー電解質を用いた電池は、耐漏液性を含めた安全性、貯蔵性が優れている。このポリマー電解質電池は、通常、アルミニウムフィルムを芯材にしたラミネートフィルムを外装体に用い、薄いシート状の電極とシート状のポリマー電解質層とを積層したユニットセルを上記外装体で外装して密閉することによって、薄形電池に仕上げられる。さらに薄く、また、可撓性のあるフレキシブルなものとすることができるので、機器の形状に合わせた電池を設計できる。よって、本発明のような電子的なディスプレイ手段を積層し、ブック状にしたものの外側カバー６０として好適に適用でき、カバーと電力供給を兼ね備えた構成とすることができる。
【０１４３】
なお、このシート状構成としたバッテリーは、ブック状のカバーの表表紙、背表紙、裏表紙部分を連続した１枚のシート状としてもよいし、表表紙、背表紙、裏表紙部分でそれぞれ別々の独立したシート状としてもよい。また、さらにもっと小さい領域で分割したシート状としてもよい。
【０１４４】
ところで、このようなシート状構成としたバッテリーは前述のようにカバー等と兼用の構成とすることができるが、本発明では必ずしも兼用することに限定されるものではない。このようなバッテリーは薄くシート状構成をとることができるので、本発明の各種ディスプレイ手段６５と同等の外観形状、あるいは、保持手段との取り付け部分を互換性のある形状とし、各種ディスプレイ手段６５と同様に着脱可能とした構成としてもよい。
【０１４５】
さらに、このようなシート状構成としたバッテリーは前述の各種の電子ディスプレイ手段と組み合わせ一体的に形成する、すなわち、各種の電子ディスプレイ手段に搭載し、それらと一緒に着脱可能としてもよい。このような構成とした場合は、各種の電子ディスプレイ手段は個別に電力供給手段を保有するので、本発明の複合ディスプレイユニットからはずしても１つの電子ディスプレイ手段単体として機能することができる。
【０１４６】
なお、これらの電子ディスプレイ手段への電力供給手段は、シート状ポリマーバッテリーに限定されるものではなく、リチウムイオン電池等であってもよいことはいうまでもない。
【０１４７】
以上の説明より明らかなように、本発明では、各種電子／非電子ディスプレイ手段、各種動画／静止画表示が可能なディスプレイ手段、各種カラー／モノクロ表示が可能なディスプレイ手段を積層、保持してなるディスプレイユニットである。そして、それぞれ、カラー表示を必要とする場合、モノクロ表示で充分な場合、動画表示を必要とする場合、静止画表示で充分な場合、さらには、書き込みを必要とする場合といった用途に応じたディスプレイ手段あるいは書き込みならびにその書き込み後の情報のディスプレイ手段としてそれぞれの特性に応じて効果的に活用できるという利点がある。
【図面の簡単な説明】
【０１４８】
【図１】本発明に適用される有機ＥＬ素子の断面図である。
【図２】本発明に適用されるフルカラー有機ＥＬディスプレイの断面図である。
【図３】本発明に適用される反射型液晶表示素子の概略構成を示す断面図である。
【図４】図３に示す反射型液晶表示素子に適用される表示用光学システムの一例を示す説明図である。
【図５】本発明に適用される電気泳動ディスプレイの断面図である。
【図６】本発明に適用される電気泳動ディスプレイの電極構成を示す部分波断図である。
【図７】本発明に適用される電気泳動ディスプレイで単一のタイプまたは色の粒子を含む電気泳動マイクロカプセルによるディスプレイ表示の動作原理を示す図である。
【図８】本発明に適用される電気泳動ディスプレイで複数のタイプまたは色の粒子を含む電気泳動マイクロカプセルによるディスプレイ表示の動作原理を示す図である。
【図９】本発明の複合ディスプレイユニットである。
【図１０】本発明の複合ディスプレイユニットに適用されるバインダーである。
【図１１】本発明の複合ディスプレイユニットに適用される各種ディスプレイ手段ならびに紙等の概念図である。
【図１２】本発明の複合ディスプレイユニットに情報入力手段としてのキーボードを組み込んだ例である。
【図１３】本発明に適用されるポリマー電解質電池を模式的に示す断面図である。
【図１４】本発明に適用されるポリマー電解質電池のゲル状ポリマー電解質保持正極ユニットを模式的に示す断面図である。
【図１５】本発明に適用されるポリマー電解質電池のゲル状ポリマー電解質保持負極ユニットを模式的に示す断面図である。
【符号の説明】
【０１４９】
１…基板、２…第１電極、３…電荷輸送性着色層、４…発光層、５…第２電極、６…赤色電荷輸送性着色層、７…緑色電荷輸送性着色層、８…青色電荷輸送性着色層、１０…信号電極側基板、１１…透光性基板、１２…反射層（光反射層）、１３…光散乱層（透光性樹脂層）、１４…光散乱粒子、１５…信号電極（液晶駆動用電極）、１６…液晶配向膜、１７…液晶材料、１８…スペーサー、１９…シール樹脂層、２０…走査電極側基板、２１…透光性基板、２２…走査電極、２３…液晶配向膜、２７…偏光位相差板、３０…液晶表示素子（反射型液晶表示素子）、３１…反射用光源、４０…基板、４１…電気光学ディスプレイ、４２…電極、４４…非線形バックプレーン、４６…電極、４７…マイクロカプセル、４８…レーン、４９…電極、５０…レーン、５１…着色粒子、５２…染料添加懸濁流体、５３…懸濁流体、５４…電荷を有する着色粒子、５５…非電荷粒子、５６…別の色にした粒子、６０…外側カバー、６１…カバー留め具、６２（６２ａ、６２ｂ）…バインダー、６２ｃ…バインダー留め部ｃ、６２ｄ…バインダー留め部ｄ、６３…回転部、６４…ピン、６５…ディスプレイ手段、６６…穴、６７…キーボード、７０…ゲル状ポリマー電解質保持正極ユニット、７１…正極端子、７２…ゲル状ポリマー電解質保持負極ユニット、７３…負極端子、７４…外装体、７５…正極、７６…ゲル状ポリマー電解質、７７…支持体、７８…負極。
【図１】
2006208918.tif 000004
【図２】
2006208918.tif 000005
【図３】
2006208918.tif 000006
【図４】
2006208918.tif 000007
【図５】
2006208918.tif 000008
【図６】
2006208918.tif 000009
【図７】
2006208918.tif 000010
【図８】
2006208918.tif 000011
【図９】
2006208918.tif 000012
【図１０】
2006208918.tif 000013
【図１１】
2006208918.tif 000014
【図１２】
2006208918.tif 000015
【図１３】
2006208918.tif 000016
【図１４】
2006208918.tif 000017
【図１５】
2006208918.tif 000018